(57)【特許請求の範囲】
【請求項１】
画像を表示する表示手段と、
前記表示手段に供給する信号を、複数の原色信号と、前記複数の原色信号から生成した輝度信号とのうちのいずれか１つに切り換える第１の切り換え手段と、
マーカー表示用の信号を発生する信号発生手段と、
前記第１の切り換え手段の出力信号か、前記輝度信号かのいずれかを選択する第２の切り換え手段と、
前記第２の切り換え手段の出力信号が所定のレベル範囲内にあるか否かを判断する条件判断手段と
を備え、前記条件判断手段によって前記所定のレベル範囲内にあると判断されたことに基づき、前記第１の切り換え手段の出力信号に前記マーカー表示用の信号を合成して前記表示手段に供給するようにしたことを特徴とする画像表示装置。
【発明の詳細な説明】
【０００１】
【発明の属する技術分野】
本発明は、画像を表示する装置に関し、特に、ビデオカメラのビューファインダのように撮影中の画像を表示するものに適用して好適な画像表示装置に関する。
【０００２】
【従来の技術】
ビデオカメラでは、操作者はビューファインダの表示画面を見ながら各種操作を行いつつ撮影を実行するようになっている。
【０００３】
多くのビデオカメラは、撮影中の画像をビューファインダに表示する機能だけでなく、ビューファインダに表示する画像を映像信号の複数の成分信号（例えば原色信号Ｒ，Ｇ，Ｂ及び輝度信号Ｙ）のうちのいずれかの信号に基づく画像に切り換える機能や、ビューファインダの画面上の所定の条件を満たす領域（例えば信号レベルが所定範囲内にある領域）をマーカー表示する機能を有している。
【０００４】
従って、操作者は、ビューファインダの表示画面を見ながら、単に構図を決定するだけでなく、被写体の確認（中心的に撮影しようとする被写体とその周囲の被写体との判別）を行ったり、絞りの調整を行ったりすることができる。
【０００５】
図４は、こうした機能を発揮するためにビデオカメラに従来設けられている回路部（ビューファインダに供給する映像信号ＶＦを生成する回路部）の構成の一例を示す。このＶＦ映像信号発生部３０は、ビデオカメラ中の図示しない原色信号処理部で生成された原色信号Ｒ，Ｇ，Ｂ（即ち撮影中の画像を表す原色信号）を用いて輝度信号Ｙを生成する輝度信号発生回路１と、この原色信号Ｒ，Ｇ，Ｂ及び輝度信号Ｙのうちのいずれか１つの信号を選択するセレクタ２と、マーカー表示用の斜め縞線信号（ゼブラ信号）を発生する斜め縞線信号発生回路３と、セレクタ２で選択した信号のレベルが所定範囲内にあるか否かを判断する条件判断回路４と、斜め縞線信号発生回路３から発生した斜め縞線信号をゲートするゲート回路５と、セレクタ２で選択した信号とゲート回路５の出力信号とを合成する合成回路６とを備えており、合成回路６の出力信号が映像信号ＶＦとして図示しないビューファインダに供給されるようになっている。
【０００６】
ビデオカメラには、ビューファインダに表示する画像を信号Ｒ，Ｇ，Ｂ，Ｙのうちのいずれか１つの信号に基づく画像に切り換える操作を行うための画像切換スイッチ（図示せず）が設けられており、セレクタ２は、この画像切換スイッチの操作に従って信号を選択するように制御される。
【０００７】
条件判断回路４は、セレクタ２で選択した信号を逆相入力端子に取り込むとともに所定の上限レベル（一例としてＩＲＥスケールで８０ＩＲＥ（以下単に８０％というようにパーセントで表示する））の信号を正相入力端子に取り込むコンパレータ４１と、セレクタ２で選択した信号を正相入力端子に取り込むとともに所定の下限レベル（一例として７０％）の信号を逆相入力端子に取り込むコンパレータ４２と、コンパレータ４１，４２の出力信号をそれぞれ一方ずつの入力端子に取り込むアンド回路４３とから成っている。従って、アンド回路４３の出力信号は、セレクタ２で選択した信号のレベルが７０％以上８０％未満のときにのみ‘Ｈ’（ハイレベル）となる。
【０００８】
ゲート回路５は、条件判断回路４のアンド回路４３の出力信号が‘Ｈ’のときゲートがオンするように制御される。これにより、信号Ｒ，Ｇ，Ｂ，Ｙのうち画像切換スイッチの操作に従ってセレクタ２で選択した信号に基づく画像がビューファインダに表示されるとともに、ビューファインダの画面のうちこのセレクタ２で選択した信号のレベルが７０％以上８０％未満の領域が斜め縞線でマーカー表示されるようになる。
【０００９】
図５Ａ，Ｂ，Ｃは、原色信号Ｒ，Ｇ，Ｂに基づく輝度信号発生回路１への入力画像のレベル分布の一例をそれぞれ示し、同図Ｄは、同図Ａ，Ｂ，Ｃの原色信号を用いて輝度信号発生回路１で生成された輝度信号Ｙに基づく画像のレベル分布を示す。また、同図Ｅ，Ｆ，Ｇ，Ｈは、ビューファインダに表示する画像が画像切換スイッチの操作によりそれぞれ同図Ａ，Ｂ，Ｃ，Ｄの信号Ｒ，Ｇ，Ｂ，Ｙに基づく画像に切り換えられた際に映像信号ＶＦに基づいてビューファインダの画面上に斜め縞線Ｚがマーカー表示される領域を示す。
【００１０】
この図５の例からも明らかなように、従来のビデオカメラでは、いずれの成分信号に基づく画像をビューファインダに表示するかを切り換える毎に、その成分信号のレベルが７０％以上８０％未満の領域がマーカー表示されるようになるので、マーカー表示される領域が変動していた。
【００１１】
【発明が解決しようとする課題】
ところで、このようにビューファインダに表示する画像を映像信号の複数の成分信号のうちのいずれかの信号に基づく画像に切り換える機能を有するビデオカメラにおいて、輝度信号に基づく画像は、主に絞りの調整を行う場合に利用される。即ち、一般に最適な絞り値は人の顔の色のような肌色の信号レベルが７０％以上８０％未満になるような絞り値であるとされているので、操作者は、輝度信号に基づく画像をビューファインダに表示した状態で、被写体のうちの人の顔の部分にマーカー表示が現れるように絞りを調整することにより、絞りを最適値に設定することができる。
【００１２】
これに対し、輝度信号に基づく画像から原色信号に基づく画像への切り換えは、主に、輝度信号に基づく画像では被写体の確認（中心的に撮影しようとする被写体とその周囲の被写体との判別）が困難である場合にその確認を容易にするために行われる。
【００１３】
しかるに、従来のビデオカメラでは、絞りを調整している途中で被写体の確認を行うために画像を切り換えると、図５にも示したように、原色信号のレベルが７０％以上８０％未満の領域がマーカー表示され、マーカー表示される領域が変動してしまうので、絞りの調整を継続して行うことが困難になるという不都合があった。
【００１４】
本発明は上述の点に鑑みてなされたもので、ビデオカメラのビューファインダに適用することにより、画像を切り換えた場合にも絞りの調整を継続して行うことができるようになる画像表示装置を提供しようとするものである。
【００１５】
【課題を解決するための手段】
本発明に係る画像表示装置は、画像を表示する表示手段と、前記表示手段に供給する信号を、複数の原色信号と、この複数の原色信号から生成した輝度信号とのうちのいずれか１つに切り換える第１の切り換え手段と、マーカー表示用の信号を発生する信号発生手段と、この第１の切り換え手段の出力信号か、この輝度信号かのいずれかを選択する第２の切り換え手段と、この第２の切り換え手段の出力信号が所定のレベル範囲内にあるか否かを判断する条件判断手段とを備え、この条件判断手段によって所定のレベル範囲内にあると判断されたことに基づき、第１の切り換え手段の出力信号にマーカー表示用の信号を合成して表示手段に供給するようにしたことを特徴としている。
【００１６】
この画像表示装置によれば、表示手段に供給する信号を複数の原色信号と、この複数の原色信号から生成した輝度信号とのうちのいずれか１つに切り換える第１の切り換え手段とは別に、この第１の切り換え手段の出力信号か、この輝度信号かのいずれかを選択する第２の切り換え手段が設けられている。また、この第２の切り換え手段の出力信号が所定のレベル範囲内にあるか否かを判断する条件判断手段が設けられている。そして、条件判断手段によって所定のレベル範囲内にあると判断されたことに基づき、第１の切り換え手段の出力信号と、信号発生手段から出力したマーカー表示用の信号とを合成した信号が表示手段に供給される。これにより、第１の切り換え手段の出力信号に基づく画像が表示手段に表示されるとともに、表示手段の画面のうち第２の切り換え手段の出力信号が所定のレベル範囲内にある領域にマーカー表示が行われる。
【００１７】
このように、複数の原色信号と、この複数の原色信号から生成した輝度信号とのうちのいずれの信号に基づく画像を表示するかの切り換えとは別に、画像を表示する信号と輝度信号とのうちのいずれの信号が所定のレベル範囲内にある領域にマーカー表示を行うかの切り換えが行われる。従って、例えばこの画像表示装置をビデオカメラのビューファインダに適用すれば、輝度信号に基づく画像から原色信号に基づく画像への切り換えを行った際にも、引き続き輝度信号が所定の条件を満たす領域にマーカー表示を行うことが可能となるので、絞りの調整が容易に継続して行われるようになる。
【００１８】
【発明の実施の形態】
図１は、本発明に係る画像表示装置を搭載したビデオカメラの要部の回路構成の一例を示す。
【００１９】
このビデオカメラは３板式のものであり、被写体からの撮像光Ｌが撮像光学系１１中の３色分解プリズムによりＲ，Ｇ，Ｂの３原色光ＬＲ，ＬＧ，ＬＢに分解されてそれぞれＣＣＤイメージセンサ１２Ｒ，１２Ｇ，１２Ｂの撮像面に結像されることにより、ＣＣＤイメージセンサ１２Ｒ，１２Ｇ，１２ＢからＲ，Ｇ，Ｂの３原色光の光量に応じたレベルの電気信号が出力される。
【００２０】
ＣＣＤイメージセンサ１２Ｒ，１２Ｇ，１２Ｂの出力信号は、それぞれアナログ信号処理回路１３Ｒ，１３Ｇ，１３Ｂで相関二重サンプリング，トラップフィルタ処理，感度調整，ゲインアップ，シェーディング補正処理等のアナログ信号処理が施され、ローパスフィルタ１４Ｒ，１４Ｇ，１４Ｂで不要な高域周波数成分を除去された後、Ａ／Ｄ変換器１５Ｒ，１５Ｇ，１５Ｂでデジタル信号に変換されて、デジタル信号処理回路１６Ｒ，１６Ｇ，１６Ｂで輪郭強調信号付加，ガンマ補正，ニー補正，ホワイトクリップ等のデジタル信号処理が施される。
【００２１】
デジタル信号処理回路１６Ｒ，１６Ｇ，１６Ｂから出力されたデジタル原色信号Ｒ，Ｇ，Ｂは、それぞれエンコーダ１７に供給されるとともにＶＦ映像信号発生部２０に供給される。
【００２２】
エンコーダ１７は、例えばＮＴＳＣ方式のデジタルエンコーダであり、原色信号Ｒ，Ｇ，ＢをＮＴＳＣ方式の複合映像信号に変換する。この複合映像信号は、Ｄ／Ａ変換器１８でアナログ信号に変換された後、ローパスフィルタ１９を介して図示しないビデオテープレコーダまたはモニタ装置等に送られる。
【００２３】
他方、ＶＦ映像信号発生部２０では、原色信号Ｒ，Ｇ，Ｂに基づき、ビューファインダに供給する映像信号ＶＦを生成する。この映像信号ＶＦは、Ｄ／Ａ変換器２１でアナログ信号に変換された後、ローパスフィルタ２２を介してビューファインダ２３に供給される。
【００２４】
図２は、ＶＦ映像信号発生部２０の回路構成の一例を示すものであり、図４と同一の部分には同一の符号を付して重複説明を省略する。このＶＦ映像信号発生部２０には、条件判断回路４に供給する信号として、セレクタ２で選択した信号と輝度信号発生回路１から発生した輝度信号Ｙとのうちのいずれか一方を選択するセレクタ７が設けられている。
【００２５】
このビデオカメラには、ビューファインダ２３の画面にマーカー表示する斜め縞線を、現在ビューファインダに画像を表示している信号（即ち画像切換スイッチの操作に従ってセレクタ２で選択した信号）と輝度信号Ｙとのうちのいずれか一方に対応した斜め縞線に切り換える操作を行うためのマーカー切換スイッチ（図示せず）が設けられており、セレクタ７は、このマーカー切換スイッチの操作に従って信号を選択するように制御される。
【００２６】
次に、このビデオカメラにおけるビューファインダ２３への画像表示動作を説明する。
操作者が、現在ビューファインダ２３に画像を表示している信号に対応した斜め縞線をマーカー表示させるようにマーカー切換スイッチを操作した場合には、セレクタ２で選択した信号がセレクタ７でも選択されるので、条件判断回路４には図４におけると同じ信号が供給される。従ってこの場合には、図５Ｅ〜Ｈに示したのと同様の画像がビューファインダ２３に表示される。
【００２７】
これに対し、操作者が、輝度信号Ｙに対応した斜め縞線をマーカー表示させるようにマーカー切換スイッチを操作した場合には、輝度信号発生回路１から発生した輝度信号Ｙがセレクタ７で選択されるので、条件判断回路４には輝度信号Ｙが供給される。従ってこの場合には、信号Ｒ，Ｇ，Ｂ，Ｙのうちのいずれの信号に基づく画像がビューファインダ２３に現在表示されているかに関わらず、ビューファインダ２３の画面のうち輝度信号Ｙのレベルが７０％以上８０％未満の領域が斜め縞線でマーカー表示される。
【００２８】
図３は、この場合にビューファインダ２３の画面上でマーカー表示される領域を図５と同様な方法で示したものである。この図３の例からも明らかなように、この場合には、絞りを調整している途中で被写体の確認を行うために輝度信号Ｙに基づく画像から原色信号Ｒ，Ｇ，Ｂに基づく画像への切り換えを行った際にも、引き続き輝度信号Ｙのレベルが７０％以上８０％未満の領域にマーカー表示が行われるので、絞りの調整を容易に継続して行えるようになる。
【００２９】
尚、以上の例では、マーカー切換スイッチの操作に従い、セレクタ２で選択した信号と輝度信号発生回路１から発生した輝度信号Ｙとのうちのいずれか一方を条件判断回路４に供給するようにセレクタ７で選択している。しかし、別の例として、常に輝度信号発生回路１から発生した輝度信号Ｙのみを条件判断回路４に供給することにより、信号Ｒ，Ｇ，Ｂ，Ｙのうちのいずれの信号に基づく画像がビューファインダ２３に現在表示されているかに関わらず、常にビューファインダ２３の画面のうち輝度信号Ｙのレベルが７０％以上８０％未満の領域が斜め縞線でマーカー表示されるようにしてもよい。
【００３０】
また、以上の例ではセレクタ７で選択した信号のレベルが７０％以上８０％未満の条件を満たすか否かを条件判断回路４で判断し、この条件を満たすことに応じて、斜め縞線信号発生回路３から発生した斜め縞線信号をセレクタ２で選択した信号に合成している。しかし、セレクタ７で選択した信号がその他の適宜の条件を満たすこと（例えば７０％以上８０％未満以外の特定のレベル範囲にあること）に応じて斜め縞線信号をセレクタ２で選択した信号に合成するようにしてもよく、また、斜め縞線信号以外の適宜のマーカー表示用の信号とセレクタ２で選択した信号とを合成するようにしてもよい。
【００３１】
また、以上の例では撮像デバイスとしてＣＣＤを用いた３板式のビデオカメラに本発明に係る画像表示装置を搭載しているが、その他の適宜の撮像デバイスを用いたビデオカメラや、単板式や２板式のビデオカメラにこの画像表示装置を搭載してもよいことはもちろんである。
【００３２】
また、以上の例ではビデオカメラのビューファインダに本発明を適用しているが、その他の適宜の画像表示用の表示手段に本発明を適用してもよい。
また、本発明は、以上の実施例に限らず、本発明の要旨を逸脱することなく、その他様々の構成をとりうることはもちろんである。
【００３３】
【発明の効果】
以上のように、本発明に係る画像表示装置によれば、複数の原色信号と、この複数の原色信号から生成した輝度信号とのうちのいずれに基づく画像を表示手段に表示するかの切り換えとは別に、表示手段の画面のうち、画像を表示する信号と輝度信号とのうちのいずれの信号が所定のレベル範囲内にある領域にマーカー表示を行うかの切り換えを行うことができる。
【００３４】
従って、例えばこの画像表示装置をビデオカメラのビューファインダに適用すれば、絞りを調整している途中で被写体の確認を行うために輝度信号に基づく画像から原色信号に基づく画像への切り換えを行った際にも、引き続き輝度信号が所定の条件を満たす領域にマーカー表示を行うことができるので、絞りの調整を容易に継続して行うことができるようになる。
【図面の簡単な説明】
【図１】本発明に係る画像表示装置を採用したビデオカメラの構成の一例を示すブロック図である。
【図２】図１のＶＦ映像信号発生部の構成の一例を示すブロック図である。
【図３】ビューファインダの画面上でのマーカー表示例を示す図である。
【図４】従来ビデオカメラに設けられていたＶＦ映像信号発生部の構成の一例を示すブロック図である。
【図５】ビューファインダの画面上でのマーカー表示例を示す図である。
【符号の説明】
１  輝度信号発生回路、  ２，７  セレクタ、  ３  斜め縞線信号発生回路、４  条件判断回路、  ５  ゲート回路、  ６  合成回路、  １１  撮像光学系、  １２Ｒ，１２Ｇ，１２Ｂ  ＣＣＤイメージセンサ、  １３Ｒ，１３Ｇ，１３Ｂ  アナログ信号処理回路、  １４Ｒ，１４Ｇ，１４Ｂ  ローパスフィルタ、  １５Ｒ，１５Ｇ，１５Ｂ  Ａ／Ｄ変換器、  １６Ｒ，１６Ｇ，１６Ｂ  デジタル信号処理回路、  １７  エンコーダ、  １８，２１  Ｄ／Ａ変換器、  １９，２２  ローパスフィルタ、  ２０，３０  ＶＦ映像信号発生部、  ２３  ビューファインダ、  ４１，４２  コンパレータ、  ４３  アンド回路
【図１】
0003928223.tif 000002
【図２】
0003928223.tif 000003
【図３】
0003928223.tif 000004
【図４】
0003928223.tif 000005
【図５】
0003928223.tif 000006